(57)【要約】【課題】  現在の鉄道車輌、路線バスの車体壁面を利用した宣伝、広告で充たされない広告主の要求を充たす。また場所や時間を限定しての新しい宣伝、広告の手段を提供する。【解決手段】  箱型の貨物収納部を有するトラックの収納部の壁面を利用して宣伝、広告を行う。トラックの運行される地域、時間を反映しての有効な広告を行う。携帯電話システムを使用して、車体壁に広告を記載したトラックの所在を監視する。【選択図】  図２
2005164960.tif 000002
【特許請求の範囲】
【請求項１】
各トラックのオーナー毎に、所有する各トラックを運行する場所、時間、利用可能な広告方法及び、既に広告契約の登録が済んでいる場合には更にその旨と契約済の時間と場所の少なくとも一方についての情報を入力され、識別符号を付して記憶する広告用のトラック情報の記憶手段と、
各広告主から寄せられた広告を行う場所と時間若しくはこれらに加えて利用したい広告の内容について情報を入力され、当該入力情報を基に前記広告用のトラック情報の記憶手段内を検索する検索手段と、
該検索手段が検索した結果を出力する出力手段とを有していることを特徴とするトラック利用広告装置。
【請求項２】
前記記憶手段は更に、上記識別符号に対応する携帯電話の番号及び契約済の場所を所掌する携帯電話の基地局の識別情報をも併せて入力されて記憶しており、
上記入力され記憶している番号の携帯電話を受信した際には受信時刻が契約済の時間についての情報と適合するか、携帯電話の発信がなされた基地局の識別情報と適合するかを所定の手段で照合する照合手段と、
該照合手段が不適合と判断した時にはその旨を注意喚起したりその前段階としての不適合回数をカウントする注意喚起手段とを有していることを特徴とする請求項１に記載のトラック利用広告装置。
【請求項３】
前記記憶手段は更に、
上記識別符号に対応する携帯電話の番号及び契約済の場所を所掌する携帯電話の基地局の識別番号をも併せて入力され記憶しており、
前記記憶手段を参照して、上記契約時間内に上記識別符号に対応する携帯電話の番号に発信し、受信があったならば所定の手順でその受信地を所掌する携帯電話の基地局の識別情報を入手し、上記入力され記憶している基地局の識別情報と照合する照合手段と、
該照合手段が不適合と判断したときにはその旨を表示する等して注意喚起したりその前段階としての不適合回数をカウントする注意喚起手段とを有していることを特徴とする請求項１若しくは２に記載のトラック利用広告装置。
【請求項４】
広告依頼主から寄せられた広告のなされる場所と時間を含む条件についての情報を当該広告依頼主についての仲介業者が付した識別番号等の情報と共に記憶する広告依頼主情報記憶手段と、
あらかじめ契約してあるトラックの各オーナーに直接に若しくは公開通信網を使用して、上記場所と時間を含む条件についての記憶情報をまた別の識別符号を付して提供する広告依頼情報提供手段と、
該広告依頼情報提供手段からの情報を基に寄せられた各オーナーからの応募を受け付け、上記広告主に各オーナーの識別符号を付して通知する通知手段と、
該通知手段の通知した応募から選定されたオーナーの識別符号を広告依頼主から受信して表示する表示手段とを有していることを特徴とするトラック利用広告装置。
【請求項５】
トラックのオーナーから寄せられたトラックの走行される場所と時間を含む条件についての情報を当該オーナー若しくはこれに加えてトラックについての仲介業者が付した識別番号等の情報と共に記憶する広告用トラック情報記憶手段と、
あらかじめ契約してある各広告主に直接に若しくは公開通信網を使用して、上記場所と時間を含む条件についての記憶情報をまた別の識別符号を付して提供する広告用トラック依頼情報提供手段と、
該広告用トラック情報提供手段からの情報を基に寄せられた各広告依頼主からの応募を受け付け、上記オーナーに各広告依頼主の識別符号を付して通知する通知手段と、
該通知手段の通知した応募から選定された広告依頼主の識別符号をオーナーから受信して表示する表示手段とを有していることを特徴とするトラック利用広告装置。
【請求項６】
内側には、外表面に垂直方向若しくは水平方向に走る多数の凹凸の形成されたトラックの箱型の収納部表面に位置ずれ、ゆがみ等生じないように適合して嵌め込まれる嵌め込み手段が形成され、外側には貼り紙を貼り付け可能な様に平面状かつのりによるポスター類の接着が可能な材料により製造されたポスター貼り付け板を有していることを特徴とするトラックの荷台用の広告板。
【請求項７】
最外側に、前記外側のポスター貼り付け板に貼り付けられたポスターを風雨等から保護する上下方向及び水平方向ともその切断面が凹型の透明板を有していることを特徴とする請求項６に記載のトラックの荷台用の広告板。
【発明の詳細な説明】
【技術分野】
【０００１】
本発明はトラックを利用した宣伝広告に関し、特に個人や小企業の所有する、そしてあらかじめ登録してあるトラックの中から、走行する地域、時間帯等が広告主の要望に合致するものを選定して宣伝を行わせることに関する。
【背景技術】
【０００２】
近年、鉄道やバス等の事業主が、自己の所有するあるいは管理下にある車輌等の車体側壁面に有料で宣伝、広告用の塗装を施して運行することが広く行われている。
【発明の開示】
【発明が解決しようとする課題】
【０００３】
しかしながら、鉄道やバスは乗客に少しでも不快感や不潔感を生じさせてはならないため、ポスターの貼り付け等いわゆる張り紙は好ましくなく、このため文字や絵は車体へのペンキによる塗装とせざるを得ない。この結果、宣伝、広告は１年間等長期契約とならざるを得ない。
【０００４】
この一方、モーターショーやサーカス等の催し物の開催期間や季節物と言われる衣料等の販売が集中する期間は通常は１〜２ヶ月、せいぜい２〜３ヶ月である。従って、それらの広告には向いていない。更に、選挙直前の官庁による投票の呼びかけ等期間がせいぜい２〜３週間のものにはまったく向いていない。
【０００５】
次に、鉄道やバスはどうしても運行する地域が制限されている。このため、この面からも広告の対象が限定される。すなわち、今日都市部では鉄道はほとんど高架か地下を走り、このため車体側壁面に記された文字、描かれた絵等はそもそも宣伝、広告としての機能を発揮し難い。あるいは、主に住宅地を走る路線バスに専門学校や予備校の広告を描いてもあまり意味がないと思われる。
【０００６】
また、運行する時間帯からの制約もありうる。すなわち、サラリーマン用の物品や役務の宣伝、広告は朝、夕の出勤時以外にはあまり意味がなく、家庭の主婦用の物品や役務の宣伝広告は朝、夕のラッシュ時にしてはそう効果は得られないと考えられる。
【０００７】
これらのため、物品や役務等の性質や内容や、需要者等に応じて最適な季節や期間、場所、一日の時間帯に集中して宣伝、広告をなしうる技術、手段の開発が望まれていた。
【０００８】
以上の他、芸能プロダクションによる新人タレントの売込みでは期間を集中して行ったほうが効果があり、またこれはあまり好ましくないかも知れないが、選挙の立候補予定者の名前の売込みや選挙でのポスターの掲示では更に選挙地盤という地域を限定して行うのが効果があるが、これらに限らず、ともかく現在の車の側壁面のみならず、掲示板や広告用看板その他テレビや新聞を利用しての広告では、広告、宣伝の対象によってはまだ物足りない面がある。あるいは、広告業界から見た場合には、広告を使用する媒体を完全に利用しきっているとは言い難いし、また広告主の要望を完全に充たしているとも言い難い。
【課題を解決するための手段】
【０００９】
本発明は、以上の課題を解決することを目的としてなされたものであり、運送用のトラックの側壁面、ケースにより後部側壁面を利用して広告、宣伝等の対象としている物品や役務等の性質に対応して最適の期間、季節、一日の時間帯、場所に集中的に広告、宣伝をなすようにしたものである。具体的には、以下の手段を採用している。
【００１０】
１の様態においては、あらかじめの契約で登録された各オーナーや更には各オーナーの所有するトラック毎に識別符号を付して、トラックを運行する場所、時間帯、月日、季節、期間等の時間及び広告板の寸法、利用可能な広告方法等、及び既に広告契約がなされているならばその時間や場所についての情報が、広告仲介者や広告会社のパソコンのメモリー等の記憶手段に入力され、記憶されている。広告主から場所、時間及び利用したい広告の内容などを特定しての広告依頼や見積依頼あるいは相談があったときには、広告の仲介者がそれらの情報をパソコンへキーボード操作等で入力する。この結果、検索手段が入力された情報あるいは条件を検索キーとして記憶手段内を捜索する。更に、該当するものがあればそれについての識別符号や運行する地域や時間帯等の情報を、なければ無い旨の表示を表示する手段をＣＲＴや液晶ディスプレイに表示させ、ケースにより印刷出力する。以上の操作の結果、条件が折り合えばトラックのオーナーと広告主の仲介者等を通してのトラックを利用しての宣伝、広告の契約がなされ、契約に従ってのトラックを利用しての宣伝、広告がなされることとなる。
【００１１】
また別の態様においては、記憶手段には更に、広告契約済の各オーナーやトラック毎に、その携帯電話の番号と広告がなされる地所を所掌する携帯電話の基地局の識別情報とがあわせて入力され、記憶されている。そして、契約に係る携帯電話からの通話を受信する受信手段とを有し、更に該受手段が受信したときには、照合手段が受信時刻と発信局の少なくとも一つが登録済のものと適合しているか否かを照合する。そして、適合していなければ、注意喚起手段が即あるいは何回かになった時点でその旨の注意喚起を仲介者等に行う。
【００１２】
また別の様態においては、トラックが契約通りの地域を契約した時間帯に運用しているか否かの監視を、仲介業者側の方から携帯電話を利用して行うこととなる。なお念のため記載するならば、携帯電話においては現在においても基地局から発信機器の番号も併せて送信されて来るようになっており、更に国、電話会社等に応じては、発信を中継した局の識別番号を受信した機器側から問い合わせ可能なサービスも既になされており、あるいは計画されている。従って、上記２つの態様においては、そのようなサービスをも利用することとなる。
【００１３】
また、別の態様においては、広告依頼主情報記憶手段が、広告依頼主から広告のなされる場所や時間若しくはさらにこれらにかえての料金やポスターの寸法等の広告媒体についての情報を広告依頼主の識別番号等と共に記憶する。広告情報提供手段は、上記場所や時間等の情報を広告依頼主に換えてその識別番号と併せてあらかじめ契約してあるトラックの各オーナーに仲介場等で直接に若しくは一般人により通常使用されている通信網を使用して提供する。この提供を受けた各オーナーは、ある程度条件があえば、その広告依頼主に同じく公開通信網を使用する等して自己の識別番号を付して応募する。通知手段は、この応募を受け付け広告依頼主に通知する。この通知を受けた広告依頼主は、応募者を選定し、選定した応募者の識別番号を仲介者へ送信してくる。表示手段が、それを仲介者のために表示する。更にその後、応募者へ連絡、契約等必要な処理がなされる。
【００１４】
また別の態様においては、上記態様とは逆にトラックのオーナーが条件を公開、表示し、広告依頼主が応募することとなる。
【００１５】
また別の態様においては、現在のトラックは輸送する貨物が風雨に晒されるのを防止するため、外形がコンテナに似た直方体状の収納部を有しているのが普通であるが、その収納部の開閉用扉部に位置しない場所の外側壁に宣伝、広告用のポスターを貼り付ける広告板あるいは掲示板が設けられている。そしてこの広告板は、トラックが走行中に位置ずれしたり、もちろん外れたりしないように、ボルトやナット等で固定されている。この際、トラックの荷物収納用の箱体の側面には上下方向若しくは水平方向に多数平行に凹凸が形成されているのが普通であるが、その凹凸に広告板の裏面が適当に嵌り込み、それによって位置ずれ等が防止される。更に、広告板の外面側は宣伝、広告が印刷された用紙（含む、樹脂膜等の均等物）をのりで貼り付け可能な物質、例えばベニア板等が平板状に取付けられている。
【００１６】
また、別の態様においては、その平板の更に外側に透明なアクリル板製の覆い等が備え付けられ、貼り付けられたポスターを風雨、走行時に跳ね飛ばした泥等から保護するようにしている。
【発明の効果】
【００１７】
以上の構成を採用することにより、本発明においては、トラックを特にその運送用物品を収納する箱型の荷台の壁面を利用しての宣伝、広告がなされることとなり、広告業者にとってもトラックのオーナーにとっても新しい業務の用途が見出されることとなる。
【００１８】
また、最も適合した地域や場所、時間帯や期間等を選定しての、ケースにより集中しての宣伝、広告がなされ、その効果も増大することとなる。
【００１９】
また、公開通信網を使用しての広告依頼主や広告をする者の募集、応募や交渉と選定がなされるため、一層利用しやすくなり、ひいては上述の効果も更に増大することとなる。
【００２０】
また、本来なら遊んでいる筈のトラックを利用することもあり得、この面からも有益となる。
【００２１】
更に、広告契約のなされたトラックの実際の運行状態を携帯電話を使用してチェック可能となるため、広告主の信頼も増加する。また、日本国中どこでも検証しうる。
【発明を実施するための最良の形態】
【００２２】
以下、本発明をその好ましい実施の形態（実施例）に基づいて説明する。
【００２３】
（実施例１）
本実施例は、あらかじめ登録してあるトラックの中から広告依頼主の条件に適合したものを選定することに関する。以下、図１を参照しつつ本実施例の内容を説明する。
【００２４】
一番最初は、パンフレットの配布、広告等によりトラックの所有者にトラックを広告塔として利用することを知らせ、賛同する企業や個人（広告者）と契約を交わすこととなる。そして、図１に示すように、契約を交わした各企業、個人等の各オーナー、さらには各トラック毎に、識別番号（ＩＤ）、携帯電話の番号、主に走行する場所や地域の内容、走行する時間帯、広告に供しうる月日、運行ルート、広告板の寸法その他図示はしないがトラックの型式や利用可能な広告の内容等の情報が、仲介者のパソコンのメモリやディスクに登録される。また広告者によっては既に他の広告主との間で広告についての契約がなされているならば、その旨の識別符号も登録される。
【００２５】
この下で、広告主から場所や時間等を指定しての広告の依頼があったときには、仲介者によりそれらの条件を選定しての検索指示がパソコンに入力される。具体的には、場所は大阪府及び京阪神間の都市部、時間は２００４年１０月１日から１５日までであり、時間帯は不問、広告の内容はモーターショーの開催の周知化のために新聞紙の４倍の面積のポスターを貼り付けて掲示する等である。パソコンに内蔵されたプログラムに従ってメモリー内のデーターからの検索がなされ、結果が液晶ディスプレイに表示され、必要に応じてＡ４紙に印刷出力されることとなる。ただし、検索プログラム及び検索結果の表示等のためのプログラムは、今日では市販のパソコン等にも組み込まれている周知技術なので、その説明は省略する。
【００２６】
以上の下で、仲介者による広告主への該当する広告主すなわちトラックのオーナーへの連絡、その後の広告契約の締結等がなされ、更にその後広告者によるトラックを利用しての広告がなされることとなる。なお、本実施例では広告の内容は季節物の即売会、プロダクションによるタレントの売出し、人によっては好ましく思わないかもしれないが選挙における政党の公約と党名の広告等であっても良いのは勿論である。
【００２７】
また、広告依頼主側についての情報も同様の手段で登録され、トラックのオーナーからの依頼があれば検索がなされるようにしていても良いのは勿論である。
【００２８】
（実施例２）
本実施例は、広告主からの広告依頼の登録、トラックのオーナーからの広告に使用するトラックについての登録、相互の登録内容の仲介者による識別符号（ＩＤ）を付しての紹介、更にはそれらの作業を通しての仲介を、ＮＴＴの通信回線等一般の人が自由に利用可能な公開通信網を使用して行うことに関する。
【００２９】
本実施例では、広告主及び広告者とも仲介者と契約を結び、この下で仲介者を介しての広告依頼の条件及び広告を行う条件を相互の名は伏せつつ、ただし仲介者が付した識別番号は付して、公開の通信網で交換し合うこととなる。この下で、料金を含む条件等を交渉し、協議が成立すれば仲介者を介しての広告の契約、実際の広告等がなされることとなる。
【００３０】
このため、仲介者のパソコン等には広告依頼（予定）者及び広告を行う（予定の）者からの受信に際しては、それらの者の名を取り去りこれに換えて仲介者が付した各人用の識別符号を付けて公開を行うこととなる。この様子を図２に示す。
【００３１】
以下、この内容をもう少し詳しく説明する。
（１）別途のパンフレットの配布、インターネット、新聞広告や口こみ等で仲介者の存在を知った広告主や広告者は、仲介者と契約を結び、広告主か広告者かを示す符号と、広告主毎あるいは広告者毎に仲介者の付した識別記号（ＩＤ）及び仲介者への送信に際して使用する依頼用のフォーマット等が入ったハードディスク２０の給付を受ける。
（２）広告主、広告者ともこのハードディスクに入力されてあるフォーマットに従って、広告依頼の条件、広告を行う条件をパソコン２１に入力し、自分の識別符号を付して仲介者にパソコン通信等の公開通信網２３で送信する。なお、このフォーマットへ入力する内容は、概念的には、先の実施例についての図１に示した各広告者毎の登録内容と同じである。ただし、以上の他、希望する料金の欄があるのは勿論である。
（３）仲介者側のパソコン２２は、広告依頼主からの受信内容は広告者側の方へ送信し、広告者からの受信内容は広告主側の方へ送信する。あるいは、相互に仲介者のホームページで公開する。なおこの際、契約時に仲介者が付した識別符号は相手方には公開されず、これに換えて、また別の交渉や公開用の識別符号を仲介者が付しての公開となる。
パソコン通信、仲介者へのアクセス等で公開内容を知った広告依頼主や広告者は、条件に合うものがあれば仲介者を介しての交渉や契約申し込みとなる。なおこの際も、契約時のハードディスクを介しての送信がなされるのは勿論である。
なお、仲介者のパソコンによる処理であるが、あらかじめ契約者に渡したハードディスクに認証用のプログラムや書式を組み込んであり、これに沿って、あるいはこれを前提としての照合や広告の依頼か広告を行うことの応募かの判別、送受信に際してのＩＤの書き換え等の処理がなされる。ただし、今日ではこのためのプログラムの内容は周知技術であり（パソコン通信でのオークションより更に簡単となる）、このためこの説明は省略する。
【００３２】
（実施例３）
本実施の形態は、トラックの貨物収納用の箱型の荷台に適した広告掲示板に関する。以下、図３を参照しつつこの技術内容を説明する。
【００３３】
さて、トラックの荷物収納用の箱型の荷台には、軽量にもかかわらず強度を得るため、上下方向あるいは水平方向に多数平行な凹凸が形成されている。このためポスター類を単に箱体の壁面に貼り付けるだけでは走行の風圧で剥がれたりしかねない。そこで、図３に示すように、この凹凸にあわせて背面に軽量な発泡ポリウレタン製の四角い棒が貼り付けられた薄板をタップボルトとナットで箱体に固定するようにしている。
【００３４】
本図において、３１は上述の凹凸のあるトラックの箱体壁部であり、３２は発泡ポリウレタン製の棒であり、３３はこの発泡ポリウレタン製棒が背面に固着されたベニヤ板製の広告板であり、３３はベニヤ板に糊付けされた広告用ポスターであり、３５は最外側の透明な樹脂板である。更に、３６は箱体外表面に取り付けられたタップボルトであり、３７はナットである。
【００３５】
かかる構造とすることにより、発泡ポリウレタン製の棒を貼り付けて形成された広告板背面の凹凸と箱体側の凹凸がいわば嵌合状態となるため、たとえ取り付けボルト、ナットが緩んでも広告板はずれたりはしない。また、広告板はベニヤ板であるため、ポスターを重ねての貼り付け、押しピンでの固定のいずれも可能であり、広告の内容に応じてポスターの張替え、新しいポスターを上から重ねての貼り付けも可能となる。また、短期間の広告、走行ルートに応じての張替えも容易となる。
【００３６】
透明な樹脂板は、上下方向と水平方向とも切断面が凹型でもあるが、これは広告板の表側部表面のみならず、上下左右の端部をも覆って風雨等のためポスターが傷むのも防止するためである。更に、その固定はボルト締めとしているため、堅固かつ取り付けや取り外しも容易となる。
【００３７】
勿論、ケースによっては人目につくように、広告に描かれた蟹の胴体に取付けられた手足のみ動くようにしている等の動作手段や豆電球が点滅する等の発光手段等を付してのより効果的かつ高価となる掲示手段の採用も可能となる。ただし、動作手段や発光手段は看板等にも採用されている周知の技術であるため、それらの説明は省略する。
【００３８】
（実施例４）
本実施例は、契約内容の誠実な実行の認証に関するものであり、このため各トラックの携帯電話と当該携帯電話の発受信を途中の中継、仲介でなく直接取り扱う中継局（基地局）についての情報を使用する。
【００３９】
今日、携帯電話においては発信者の番号は中継局を介して音声情報と共に送信されて来るが、更に一歩進んで発信を直接受信した中継局等についての情報も送られてくるサービス等が国、電話会社によりなされていたり、計画されていたりしている。そこで、本実施例では、契約内容の履行の検証にこのシステムを利用するものである。
【００４０】
すなわち、仲介者はあらかじめ電話会社と契約して、本実施例で使用する携帯電話あるいはそれを利用した通信システムには仲介者側のも、ケースによりトラック側のもかかるサービス付きのものとする。この下で、トラックの運転手は契約時の取決めに従って定期的に、例えば３日に１度毎日午前１０時に等、仲介者に走行場所を電話で通知する。あるいは、仲介者は、広告を行っているトラック側の携帯電話に定期的に発信を行う。いずれのケースでも、ともかく仲介者はトラック側の携帯電話の受発信を直接所掌する中継局についての情報を入手し得、これが契約内容を、すなわち図１に示すメモリーの地域と時間に該当して走行しているか否かを確認しうる。
【００４１】
図４に本実施例のシステム構成を概念的に示す。本図において、４１はシステムの中心をなすＣＰＵである。４２は、契約済のトラックのオーナーやそのトラック毎に契約内容の走行地域や走行時間等が対応して記憶されたメモリであり、概念的には図１に示すメモリのようなものである。４３は、走行地域とその地域にある携帯電話の中継局の識別情報の対応表（メモリ）である。４４は、カレンダー付時計である。４５は携帯電話システムを利用した通信機である。そしてこれらは、仲介者の事務所に設置されている。４６は、走行中のトラックの在る場所を直接所掌あるいは管轄する中継局である。４７は、契約に従って広告をしているトラックである。さて、ＣＰＵ４１には、このために照合用プログラム、送受信用プログラム、トラック側からの通信文や応答文に含まれている局情報を採りだして処理するプログラム等が内蔵されている。
【００４２】
この下で、ＣＰＵ４１は、月日、日時に応じて契約済のトラックの走行情報の表４２とカレンダー付時計４４を参照しつつ、契約期間の長さ等にもよるが一定の時間間隔毎に携帯電話の通信システム４５を利用して走行している筈のトラック４７に電話をし、応答があれば中継局の識別情報を入手する。そして、トラックの走行地域と中継局との対応表４３を参照し、実際に契約通りの走行がなされているか否かを照合する。
【００４３】
またこのため、図に示すごとく中継局から仲介者への通信文には、中継局についての情報も付加されていることとなる。
【００４４】
検証方法、手段についての契約内容にもよるが、トラック側からの送信があったときにも、仲介者側のＣＰＵは、ハード、プログラム、メモリ内容については同じ若しくはほぼ同様の内容で契約の履行の検出を行うこととなる。
【００４５】
更に、契約違反が発見されれば、その回数のカウント、回数に応じての警告や契約破棄等の措置がなされることとなる。
【００４６】
なお、音声を電気信号に変換した通信文と局情報との識別は、発呼側と被呼側でプロトコル（通信規約）さえ取決めておけば容易になしうることであり、ファクシミリ等他の技術分野でも利用されている周知の技術であるためその説明は省略する。
【００４７】
以上の他、広告の依頼主とトラックのオーナー等との広告契約がなされれば、仲介者には仲介料が支払われる等の処理がなされるのは当然である。また、広告用ポスターの作成主体等は適宜柔軟に決められるのも勿論である。
【００４８】
以上、本発明をその幾つかの実施例に基づいて説明してきたが、本発明は何もこれらに限定されないのは勿論である。すなわち、たとえば以下のようにしてもよい。
契約事項として、広告主の指定した場所での走行、駐停車につき定めている。具体的には、好ましい例でないかもしれないが政党の広告をなすトラックが選挙の投票日にわざわざ投票所の近くを走行したり、駐停車したりする。
【００４９】
あるいは、人目に立つ駐車場を使用し、非走行時にも広告をなすようにしている。
【００５０】
契約内容としては、広告主の依頼によりトラックの走行する道路を変更したりするようになっていること等が含まれている。
【図面の簡単な説明】
【００５１】
【図１】本発明の第１の実施の形態において、仲介者のパソコンのメモリ内に広告者についての情報が登録されている様子を概念的に示す図である。
【図２】本発明の第２の実施の形態において、広告の依頼（予定）主と広告を行う（予定）者とが仲介者を介して公開通信網で接続されている様子と、仲介者が両者の接続に際してなす作業の内容を示す図である。
【図３】本発明の第３の実施例において、トラックの箱型の荷台に取り付けられる掲示板の断面を示す図である。
【図４】本発明の第４実施例において、携帯電話を使用しての走行、広告の検証の様子を概念的に示す図である。
【符号の説明】
【００５２】
２０      応募等の手順が入力されたハードディスク
２１      広告依頼者、広告応募者側のパソコン
２２      仲介者のパソコン
２３      公開通信網
３１      トラックの箱体壁部
３２      発泡ポリウレタン製棒
３３      広告板
３４      ポスター
３５      透明板
３６      タップボルト
３７      ナット
４１      検証用のＣＰＵ
４２      トラック等毎の走行内容の表
４３      走行地域と中継局と表
４４      カレンダー付時計
４５      携帯電話システムを利用した通信機
４６      携帯電話の中継局
４７      広告を付けて走行中のトラック
【図１】
2005164960.tif 000003
【図２】
2005164960.tif 000004
【図３】
2005164960.tif 000005
【図４】
2005164960.tif 000006